(57)【特許請求の範囲】
【請求項１】
通信装置によるネットワーク上での通信を補助するネットワーク機器であって、
各々が差込口を有して前記筐体を平面状の壁面に複数の異なる姿勢で取り付ける複数の取り付け部を有する筐体と、
各取り付け部の前記差込口に分離可能に挿入される係合部と、当該係合部に対して折り曲げられて各取り付け部を支持可能な接続部と、当該接続部に対して折り曲げられた基部とを有し、前記ネットワーク機器からの熱を前記基部からの熱伝導によって前記壁面に伝導することによって前記ネットワーク機器の放熱を行う放熱部材と、
前記放熱部材と係合し、前記放熱部材が前記壁面と前記筐体との間に位置するように前記基部を前記壁面に固定するための固定部材とを有するネットワーク機器。
【発明の詳細な説明】
【０００１】
【発明の属する技術分野】
本発明は、ハブ、ルーター、スイッチ等のネットワーク機器の取り付け機構に関する。
【０００２】
【従来の技術】
近年のＬＡＮやＷＡＮ（Ｗｉｄｅ Ａｒｅａ Ｎｅｔｗｏｒｋ）の普及により、多数のパーソナルコンピュータ（以下、「ＰＣ」という。）、ハブ、スイッチ、ルーターなどのネットワーク機器（ハブなどは「エージェント」と呼ばれる場合もある。）がネットワーク及びそのサブネットに接続され、情報の共有と伝達が頻繁に行われている。
【０００３】
近年の様々な通信形態に対応するために、ネットワーク機器には、ＬＡＮの機能、ＷＡＮの機能など、多機能化が求められると同時に、より多くのＰＣ等の通信機器とより多くの通信量に対処するために高い処理能力も求められている。更に、ネットワーク機器は、近年の通信機器の小型化に伴って小型化が求められている。また、従来は、顧客の様々な利用形態や設置形態に応じてネットワーク機器の設置も従来の卓上横型に限定されない多様化が求められる。
【０００４】
【発明が解決しようとする課題】
ネットワーク機器の多機能化、高機能化などが進むと処理部の負荷が増大する結果、発熱量が多くなり、効率的な放熱が必要となる。その際、ネットワーク機器の筐体を大型にすれば放熱効率は高まるが、小型化の要請に反することになる。このような放熱効率の向上と共に設置の多様化の要請を従来のネットワーク機器は必ずしも満足していなかった。
【０００５】
そこで、本発明は、ネットワーク機器の放熱の向上と設置の多様化を実現可能な取り付け機構及びこれを有するネットワーク機器を提供することを例示的な目的とする。
【０００６】
本発明の一側面としてのネットワーク機器は、通信装置によるネットワーク上での通信を補助するネットワーク機器であって、各々が差込口を有して前記筐体を平面状の壁面に複数の異なる姿勢で取り付ける複数の取り付け部を有する筐体と、各取り付け部の前記差込口に分離可能に挿入される係合部と、当該係合部に対して折り曲げられて各取り付け部と支持可能な接続部と、当該接続部に対して折り曲げられた基部とを有し、前記ネットワーク機器からの熱を前記基部からの熱伝導によって前記壁面に伝導することによって前記ネットワーク機器の放熱を行う放熱部材と、前記放熱部材と係合し、前記放熱部材が前記壁面と前記筐体との間に位置するように前記基部を前記壁面に固定するための固定部材とを有する。かかる取り付け部は取り付けの多様化を図りつつ放熱部材は放熱機能も兼ねるので小型化に寄与する。また、かかる取り付け部を有する上述のネットワーク機器も同様の作用を奏する。
【０００８】
本発明の他の目的及び更なる特徴は、以下添付図面を参照して説明される好ましい実施例によって明らかにされるであろう。
【０００９】
【発明の実施の形態】
以下、添付図面を参照して、本発明のネットワーク機器１００について説明する。ここで、図１は、筐体１０がスタンド６０に組み合わせられる前のネットワーク機器１００の外観斜視図である。図２は、スタンド６０の斜視図である。図３は、筐体１０がスタンド６０に組み合わされた後のネットワーク機器１００の外観斜視図である。図４は、筐体１０がスタンド６０に組み合わせられる前のネットワーク機器１００の背面図である。
【００１０】
本実施形態のネットワーク機器１００は、ブロードバンド対応で、かつ、ＬＡＮ機能とＷＡＮ機能が複合されたスイッチとして構成され、ネットワーク機器１００は、筐体１０と、筐体１０に分離可能に固定され、筐体１０を図示しない卓上に設置するためのスタンド６０とを有する。
【００１１】
筐体１０は略直方体形状を有し、図１及び図４に示すように、複数の放熱溝１２乃至１８と、表示部２０と、通信ポート２２と、窪み２４と、取り付け部３２乃至３８を有する。
【００１２】
放熱溝１２乃至１８は、筐体１０の放熱を行うために例示的に縦方向に延在する。放熱溝１２は筐体１０の正面の上部に設けられ、放熱溝１４は筐体１０の正面の下部に設けられる。放熱溝１２及び１４を構成する複数の溝は全体として円弧を形成するように延在してその長さは異なっているが、同一でもよい。放熱溝１６は筐体１０の背面の上部に設けられ、放熱溝１８は筐体１０の背面の下部に設けられる。本実施形態では、複数の放熱溝１４の２つの溝１４ａが、スタンド６０の後述するガイドリブ６４と嵌合する位置決め用及び固定用の溝としても機能する。
【００１３】
表示部２０は、通信状態を視覚的に表示する複数のＬＥＤを含む。例えば、表示部２０は、Ｆｕｌｌ Ｄｕｐｌｅｘ（全二重）のリンクとＨａｌｆ Ｄｕｐｌｅｘ（半二十）のリンク、１００ＢＡＳＥ−ＴＸのリンクと１００ＢＡＳＥ−Ｔのリンク、システムの異常、電源供給の異常などを検出及び識別する。
【００１４】
通信ポート２２は、例えば、縦方向に整列した１つのＷＡＮポートと７つのＬＡＮポートを含む。このように、ネットワーク機器１００は、ポートの配置が縦型で狭いスペースにも設置可能である。ＷＡＮポート（「ＭＤＩポート」とも呼ばれる）及びＬＡＮポート（「ＭＤＩ−Ｘポート」とも呼ばれる）には、例えば、非シールドより対線（ＵＴＰ：Ｕｎｓｈｉｅｌｄｅｄ Ｔｗｉｓｔｅｄ Ｐａｉｒ Ｃａｂｌｅ）ケーブルが接続される。ＵＴＰケーブルを介して、ＷＡＮポートには、ＷＡＮ接続機器（ＡＤＳＬモデムなど）が接続され、ＬＡＮポートにはＰＣやハブが接続される。
【００１５】
窪み２４は、筐体１０の背面に設けられ、スタンド６０の後述する突起６６が嵌合する。
【００１６】
筐体１０は、図４に示すように、４対の取り付け部３２乃至３８を更に有する。取り付け部３２乃至３８は、後述する別の取り付け方法で使用されるためにスタンド６０に対しては必要ないが、スタンド６０と後述する取り付け方法のいずれかを選択できる点で、設置の多様化を図っている。各対の取り付け部３２乃至３８の間隔及び大きさは等しい。取り付け部３２及び３８は平行で、取り付け部３４及び３６は平行でかつ取り付け部３２及び３８と直交している。なお、本発明は、各取り付け部の数を一対に限定するものではない。取り付け部３２乃至３８の各々は、後述するように、突起４０と差込口４２とを有する。
【００１７】
次に図２を参照するに、スタンド６０は、ネットワーク機器１００を挟持する一対の対向する垂直部６１、６２と、垂直部６１、６２を支持する水平部６３とを有する。
【００１８】
垂直部６１は、放熱溝１４の一対の溝１４ａに嵌合する一対のガイドリブ６４を有する。もっともガイドリブ６４は、溝１４ａよりも右側又は左側の溝と係合してもよい。ガイドリブ６４は、溝１４ａと係合することによってネットワーク機器１００の位置決めを行う。必要があれば、図２において垂直部６１の一部が拡大されて示されているように、垂直部６１には多数の放熱孔６７が形成され、放熱溝１４に連通する。この結果、放熱溝１４が垂直部６１によって塞がれて放熱孔率が低下することを防止することができる。放熱孔６７は、垂直部６２や水平部６３に形成されてもよい。
【００１９】
垂直部６２は、板ばね部６５を有し、板ばね部６５の先端には突起６６が設けられている。板ばね部６５は筐体１０の背面を押圧し、突起６６は窪み２４に嵌合し、その結果、筐体１０を固定する。
【００２０】
水平部６３は、図示しない卓上に配置されて筐体１０を支持する。必要があれば、水平部６３はＳＵＳ製の板金など伝熱性に優れた材料から構成される。また、更に必要があれば垂直部６１及び６２も同様に伝熱性に優れた材料から構成される。この結果、水平部６３は、ネットワーク機器１００の熱を卓上に伝熱することによってネットワーク機器１００の放熱をすることができる。
【００２１】
筐体１０をスタンド６０に取り付ける際には、図１に示すように、溝１４ａと対応するガイドリブ６４との位置合わせをして、図３に示すように筐体１０をスタンド６０に挿入する。筐体１０とスタンド６０の位置合わせが適当であれば、ガイドリブ６４が溝１４ａに嵌合するだけでなく、図５に示すように、突起６６が窪み２４に嵌合する。ここで、図５は、筐体１０がスタンド６０に組み合わせられた後のネットワーク機器１００の背面図である。この結果、筐体１０は、スタンド６０に位置決め及び固定される。本実施形態のように、ネットワーク機器１００が多機能化、高機能化されて図示しない処理部の負荷が増加し、発熱量が増えると放熱機構が重要になる。その一方、ネットワーク機器の小型化の要請から、筐体１０はできるだけ小型であることが好ましい。本実施形態のネットワーク機器１００によれば、放熱溝１４が放熱と位置決めを兼ねるので筐体１０の大型化を招かずに放熱を行って内部の電子回路を熱破壊から保護している。
【００２２】
次に、本発明の別の実施形態の取り付け方法について説明する。上述したように、本実施形態も筐体１０を共通に使用するが、スタンド６０の代わりに、壁掛金具８０と螺子９０を使用する。また、筐体１０は、放熱溝１４と窪み２４を使用する代わりに、取り付け部３２乃至３８を使用する。本実施形態においては、筐体１０は、壁、パーティション、棚、その他のほぼ垂直な設置場所（本出願では、かかる設置場所を単に「壁」として総括する。）に所望の姿勢で固定される。このように、ネットワーク機器１００は卓上にも壁にも設置可能であり、設置の多様化を図っている。
【００２３】
まず、図６乃至図８を参照して、筐体１０の取り付け部３２乃至３８を詳細に説明する。ここで、図６は、筐体１０に壁掛金具８０が取り付けられる前の外観斜視図である。図７は、図６のＡ−Ａ断面図である。図８は、筐体１０に壁掛金具８０が取り付けられたネットワーク機器１００の外観斜視図である。図９は、図８のＢ−Ｂ断面図である。なお、図９のＷは壁である。
【００２４】
図７に示すように、各取り付け部は、突起４０と差込口４２とを有する。突起４０は、各取り付け部の筐体１０に対向する内面に、筐体１０の方に突出するように形成される。突起４０は、後述する壁掛金具８０の穴８２に嵌合し、壁掛金具８０が取り付け部から抜け落ちることを防止するストッパーとしての機能を有する。また、穴８２と分離可能であるので、壁掛金具８０が取り付け部３２乃至３８のうちの所望の取り付け部と係合することを可能にする。差込口４２には、後述する壁掛金具８０の係合部８１が挿入される。
【００２５】
壁掛金具８０は、例えば、熱伝導性と剛性の高いステンレスから構成され、図６に示すように、一対の係合部８１と、一対の接続部８３と、基部８４と、係合部８６とを有する。
【００２６】
係合部８１は接続部８３を介して基部８４に、基部８４よりも奥まった位置に接続される。各係合部８１は半円と矩形を結合したような形状を例示的に有し、円形の穴８２をその略中央に有する。係合部８１は対応する取り付け部の差込口４２に挿入され、穴８２は対応する取り付け部の突起４０と係合する。従って、係合部８１の間隔は取り付け部の間隔と等しい。なお、係合部８１が突起を有して取り付け部が穴を有してもよいことはもちろんである。
【００２７】
接続部８３は、壁掛金具８０が、図９に示すように、取り付け部に取り付けられた場合に、螺子９０の頭を収納する空間９１を確保するために設けられる。また、接続部８３は、対応する取り付け部を支持するストッパーとしての機能も有する。
【００２８】
基部８４は、一対の穴８５を有する。図９に示すように、各穴８５を介して螺子９０が壁Ｗに打ち込まれる。また、後述する本実施形態の変形例で使用される一対の螺子穴８８を有する。螺子穴８８には後述するマグネット９５を固定する螺子９８が挿入される。
【００２９】
係合部８６は、後述する本実施形態の変形例で使用され、基部８４と同一平面において基部８４に接続される。同一平面であるのは、後述する３つの同一のマグネット９５のいずれを係合部８６に使用してもマグネット９５の他面（即ち、金具８０と対抗する面）が同一平面を形成するようにするためである。従って、特定のマグネットの厚さを厚くして係合部８６を基部８４から接続部８３に類似する部材を使用して基部８４から奥まった所に形成しても、全てのマグネット９５の他面が同一平面を形成するようにできればよい。全てのマグネット９５の他面が同一平面を形成しなければならないのは、壁Ｗの表面が通常は水平であるために、筐体１０の取り付け時の水平度を維持するためである。係合部８６は、例示的に面取りされた矩形形状を有し、螺子穴８７をその略中央に有する。螺子穴８７には、螺子穴８８と同様に、後述するマグネット９５を固定する螺子９８が挿入される。
【００３０】
筐体１０を壁Ｗに掛ける際には、まず、壁Ｗの所望の位置に２本の螺子９０と穴８５を介して壁掛金具８０を固定する。次に、係合部８１に所望の取り付け部３２乃至３８の差込口４２を挿入し、突起４０を穴８２に嵌合する。図８及び図９においては、取り付け部３２が選択されている。この結果、筐体１０を所望の姿勢で壁Ｗに設置することができる。壁Ｗにおける所望の位置と筐体１０の所望の姿勢は、配線、美観などに基づいてユーザーが自由に設定することができる。突起４０と穴８２の係合が外れても接続部８３が筐体１０を支持する。また、空間９１に螺子９０の頭が収まるので螺子９０によって筐体１０の背面が傷つけられることはない。更に、壁掛金具８０は熱伝導性の高い材料から構成され、筐体１０の放熱溝１６その他の部位からの熱を壁Ｗに伝導して筐体内部の電子回路を熱破壊から保護する。このように、壁掛金具８０は筐体１０の取り付け部３２乃至３８と協同して筐体１０の位置決め、姿勢決め、固定を行い、更に、筐体１０の放熱を行っている。
【００３１】
次に、図６、図１０乃至図１２を参照して、本実施形態の変形例を説明する。本実施形態も筐体１０と壁掛金具８０を共通に使用するが、螺子９０の代わりに、マグネット９５を使用する。本実施形態においても、筐体１０は、壁Ｗに所望の姿勢で固定されるが、本実施形態の壁Ｗはスチール製等磁石を固定可能な金属材料から構成される。ここで、図１０は、マグネット９５の断面図である。図１１は、筐体１０に壁掛金具８０とマグネット９５が取り付けられたネットワーク機器１００の外観斜視図である。図１２は、図１１のＣ−Ｃ断面図である。また、図６は、マグネット９５を金具８０に取り付ける前の状態を示している。
【００３２】
マグネット９５は、図１０に示すように、中央孔９６及び９７をその略中央に有する。中央孔９６は、図１２に示すように、マグネット９５を金具８０に固定する螺子９８の頭を収納する。中央孔９７は、中央孔９６よりも径が小さく、螺子９８の螺子部を通過させるが頭は通過させない径を有する。
【００３３】
筐体１０を壁Ｗに掛ける際には、まず、マグネット９５を螺子９８を介して壁掛金具８０の螺子穴８７及び８８に固定する。次いで、壁Ｗの所望の位置にマグネット９５の磁力を利用して壁掛金具８０を固定する。全てのマグネット９５が壁Ｗと対向する面は同一平面を形成するので、筐体１０の水平度を維持すると共に固定を強固にするのに便宜である。
【００３４】
次に、係合部８１に所望の取り付け部３２乃至３８の差込口４２を挿入し、突起４０を穴８２に嵌合する。図１１及び図１２においては、取り付け部３２が選択されている。この結果、筐体１０を所望の姿勢で壁Ｗに設置することができる。壁Ｗにおける所望の位置と筐体１０の所望の姿勢は、配線、美観などに基づいてユーザーが自由に設定することができる。突起４０と穴８２の係合が外れても接続部８３が筐体１０を支持する。また、空間９１に螺子９８の螺子部が収まるので螺子９８によって筐体１０の背面が傷つけられることはない。更に、壁掛金具８０は熱伝導性の高い材料から構成され、筐体１０の放熱溝１６その他の部位からの熱を壁Ｗに伝導して筐体内部の電子回路を熱破壊から保護する。このように、壁掛金具８０は筐体１０の取り付け部３２乃至３８と協同して筐体１０の位置決め、姿勢決め、固定を行い、更に、筐体１０の放熱を行っている。
【００３５】
以上、本発明の好ましい実施例を説明したが、本発明はその要旨の範囲内で様々な変形や変更が可能である。例えば、ネットワーク機器１００の種類はスイッチに限定されない。
【００３６】
【発明の効果】
本発明の一側面としての取り付け機構及びネットワーク機器によれば、取り付け機構は取り付けの多様化を図りつつ取り付け部材は放熱機能を兼ねるので、取り付け機能と放熱機能を分離するよりもネットワーク機器の小型化に寄与する。また、本発明の別の側面としてのネットワーク機器によれば、放熱溝が放熱機能と位置決め機能とを兼ねているので、取り付け機能と放熱機能を分離するよりもネットワーク機器の小型化に寄与する。
【図面の簡単な説明】
【図１】  本発明のネットワーク機器の外観斜視図であって、その筐体がスタンドに組み合わせられる前の状態を示す図である。
【図２】  図１に示すスタンドの斜視図である。
【図３】  図１に示す筐体がスタンドに組み合わされた後のネットワーク機器の外観斜視図である。
【図４】  図１に示す筐体がスタンドに組み合わせられる前のネットワーク機器の背面図である。
【図５】  図１に示す筐体がスタンドに組み合わせられた後のネットワーク機器の背面図である。
【図６】  図１に示す筐体に壁掛金具が取り付けられる前のネットワーク機器の外観斜視図である。
【図７】  図６のＡ−Ａ断面図である。
【図８】  図１に示す筐体に壁掛金具が取り付けられた後のネットワーク機器の外観斜視図である。
【図９】  図８のＢ−Ｂ断面図である。
【図１０】  図６に示す壁掛金具に取り付け可能なマグネットの断面図である。
【図１１】  図６に示す筐体に壁掛金具とマグネットが取り付けられたネットワーク機器の外観斜視図である。
【図１２】  図１１のＣ−Ｃ断面図である。
【符号の説明】
１０                        筐体
１２、１４、１６、１８      放熱溝
２２                        通信ポート
２４                        窪み
３２、３４、３６、３８      取り付け部
４０                        突起
６０                        スタンド
６１、６２                  垂直部
６３                        水平部
６５                        板ばね部
６６                        突起
６７                        放熱孔
８０                        壁掛金具
８２                        穴
９０                        螺子
９５                        マグネット
１００                      ネットワーク機器
【図１】
0003949998.tif 000002
【図２】
0003949998.tif 000003
【図３】
0003949998.tif 000004
【図４】
0003949998.tif 000005
【図５】
0003949998.tif 000006
【図６】
0003949998.tif 000007
【図７】
0003949998.tif 000008
【図８】
0003949998.tif 000009
【図９】
0003949998.tif 000010
【図１０】
0003949998.tif 000011
【図１１】
0003949998.tif 000012
【図１２】
0003949998.tif 000013